(57)【要約】【課題】肌に対し、複数項目を測定し評価した結果の総合的な評価を、視覚的に提示して、その肌のかかえる問題が即座に把握できるようにした肌状態評価方法とよびそれに用いる装置、並びにそれに用いるカウンセリングツールを提供する。【解決手段】素肌センサ１、オイリーチェッカー２、拡大カメラ３、液晶カラーモニター４、本体部５を備えた肌状態測定装置を用いて、被測定者の肌を測定して評価する方法であって、測定によって得られる肌の評価項目をｎ個（ｎは３以上の整数）設け、各評価項目の基準値に基づく所定領域を、２つの同心正ｎ角形に挟まれた領域として表示するとともに、上記同心正ｎ角形の中心点と各頂点を結ぶ直線を各評価項目の評価軸として、被測定者の測定結果を、上記各評価項目の評価軸上に位置決めし、互いに線分でつなぐことによりｎ角形として表示するよう設定し、上記同心正ｎ角形と、測定結果を示すｎ角形とを対比することにより、被測定者の肌状態を評価するようにした。【選択図】図１
2005080774.tif 000002
【特許請求の範囲】
【請求項１】
測定部と、測定データ処理部と、測定結果表示部とを備えた肌状態測定装置を用いて、被測定者の肌を測定して評価する方法であって、測定によって得られる肌の評価項目をｎ個（ｎは３以上の整数）設け、各評価項目の基準値を予め上記測定データ処理部に記憶しておき、上記測定結果表示部において、各評価項目の基準値に基づく所定領域を、２つの同心正ｎ角形（大きい方の正ｎ角形をＡ、小さいほうの正ｎ角形をＢとする）に挟まれた領域として表示するとともに、上記同心正ｎ角形Ａ、Ｂの中心点と各頂点を結ぶ直線を各評価項目の評価軸として、被測定者の測定結果を、上記各評価項目の評価軸上に、基準値からの偏りとして位置決めし、位置決めされた各点を互いに線分でつなぐことによりｎ角形として表示するよう設定し、上記同心正ｎ角形Ａ、Ｂと、測定結果を示すｎ角形とを対比することにより、被測定者の肌状態を評価するようにしたことを特徴とする肌状態評価方法。
【請求項２】
上記肌状態測定装置が、測定部と、第１の測定データ処理部と、第１の測定結果表示部とを備えた測定装置と、第２の測定データ処理部と、第２の測定結果表示部とを備えた処理装置とを組み合わせたものであり、各評価項目の基準値を、上記第２の測定データ処理部に記憶し、上記同心正ｎ角形Ａ、Ｂと、測定結果を示すｎ角形とを、上記第２の測定結果表示部に表示するようにした請求項１記載の肌状態評価方法。
【請求項３】
上記評価項目が、水分量、透明感、ハリ・弾力の３項目であり、各評価項目の基準値に基づく所定領域を、２つの同心正三角形（大きい方の正三角形をＡ′、小さいほうの正三角形をＢ′とする）に挟まれた領域として表示するとともに、上記同心正三角形Ｂ′の内側に、さらに１つの同心正三角形Ｃを表示し、上記同心正三角形Ｂ′とＣに挟まれた領域を、基準値から外れた第１の領域とし、上記同心正三角形Ｃの内側領域を、基準値からさらに外れた第２の領域として、３段階で評価するようにした請求項１または２記載の肌状態評価方法。
【請求項４】
上記基準値が、年代別モニター群の肌状態をそれぞれ測定して得られた年代別基準値として年代ごとに記憶され、被測定者の年代を入力することにより、その年代に対応した基準値を基準とした同心正ｎ角形Ａ、Ｂと、測定結果を示すｎ角形とが表示されるようになっている請求項１〜３のいずれか一項記載の肌状態評価方法。
【請求項５】
肌状態を評価するのに用いられる装置であって、測定部と、測定データ処理部と、測定結果表示部とを備え、測定によって得られる肌の評価項目がｎ個（ｎは３以上の整数）に設定され、各評価項目の基準値が予め上記測定データ処理部に記憶されており、上記測定結果表示部において、各評価項目の基準値に基づく所定領域を、２つの同心正ｎ角形（大きい方の正ｎ角形をＡ、小さいほうの正ｎ角形をＢとする）に挟まれた領域として表示されるとともに、上記同心正ｎ角形Ａ、Ｂの中心点と各頂点を結ぶ直線を各評価項目の評価軸として、被測定者の測定結果が、上記各評価項目の評価軸上に、基準値からの偏りとして位置決めされ、位置決めされた各点を互いに線分でつなぐことによりｎ角形として表示されるようになっていることを特徴とする肌状態測定装置。
【請求項６】
上記肌状態測定装置が、測定部と、第１の測定データ処理部と、第１の測定結果表示部とを備えた測定装置と、第２の測定データ処理部と、第２の測定結果表示部とを備えた処理装置とを組み合わせたものであり、各評価項目の基準値が、上記第２の測定データ処理部に記憶され、上記同心正ｎ角形Ａ、Ｂと、測定結果を示すｎ角形とが、上記第２の測定結果表示部に表示されるようになっている請求項５記載の肌状態評価装置。
【請求項７】
上記評価項目が、水分量、透明感、ハリ・弾力の３項目であり、各評価項目の基準値に基づく所定領域が、２つの同心正三角形（大きい方の正三角形をＡ′、小さいほうの正三角形をＢ′とする）に挟まれた領域として表示されるとともに、上記同心正三角形Ｂ′の内側に、さらに１つの同心正三角形Ｃが表示され、上記同心正三角形Ｂ′とＣに挟まれた領域を、基準値から外れた第１の領域とし、上記同心正三角形Ｃの内側領域を、基準値からさらに外れた第２の領域として、３段階で評価できるようになっている請求項５または６記載の肌状態評価装置。
【請求項８】
上記基準値が、年代別モニター群の肌状態をそれぞれ測定して得られた年代別基準値として年代ごとに記憶され、被測定者の年代を入力することにより、その年代に対応した基準値を基準とした同心正ｎ角形Ａ、Ｂと、測定結果を示すｎ角形とが表示されるようになっている請求項５〜７のいずれか一項に記載の肌状態測定装置。
【請求項９】
請求項１〜４のいずれか一項に記載された肌状態評価方法に用いられるカウンセリングツールであって、肌状態測定装置の測定結果表示部に表示される、測定結果を示すｎ角形のパターンが、複数種類例示されており、各例ごとに、その例における肌の状態の説明表示部と、その肌の状態に必要なスキンケア方法の説明表示部とが、設けられていることを特徴とするカウンセリングツール。
【発明の詳細な説明】
【技術分野】
【０００１】
本発明は、化粧品販売員等が顧客に対して行う肌状態評価方法およびそれに用いる装置、並びにそれに用いるカウンセリングツールに関するものである。
【背景技術】
【０００２】
従来から、化粧品販売では、専門の販売員が、店頭あるいは訪問販売先で、化粧品メーカーから配布された化粧品販売促進用シートに基づいて顧客に化粧品の売り込みを行っている。また、最近では、専用の測定機器を用いて顧客の肌を測定し、その測定結果に基づいてその人の肌に合うと思われる化粧品をアドバイスすることが行われている。
【０００３】
しかしながら、従来の測定機器による肌状態の測定では、機器の操作や評価に手間取ることが多かったり、その測定結果から販売員が口頭でいろいろとフォローしなければならない等の問題があった。
【０００４】
そこで、本出願人は、肌の状態を、短時間で要領よく測定することができ、その評価も的確かつ迅速に行うことのできる肌の評価方法と評価装置を開発し、すでに出願している（特許文献１参照）。
【特許文献１】特開２００２−３５５２２３号公報
【発明の開示】
【発明が解決しようとする課題】
【０００５】
上記特許文献１の装置は、従来の装置に比べて操作しやすく、測定結果に評価を加えて表示する機能を備えているため、カウンセリングを効率よく行うことができる点で優れている。しかし、その実施例における操作では、「肌コンディション」、「肌拡大」、「キメ」、「肌色」、「透明感」、「表皮の力」、「真皮の力」という７項目のそれぞれを、順次選択して評価するようになっており、総合評価は、これらの項目の結果を列挙した画面から判断することになっているため、総合的な肌の評価を一目で把握しにくいという問題が提起されている。このため、項目ごとの評価を統合して、一目でその肌の状態がわかるような機能を付加することが強く望まれている。
【０００６】
本発明は、このような事情に鑑みなされたもので、肌に対し、複数項目を測定し評価した結果の総合的な評価を、視覚的に提示して、その肌のかかえる問題が即座に把握できるようにした肌状態評価方法およびそれに用いる装置、並びにそれに用いるカウンセリングツールの提供を、その目的とする。
【課題を解決するための手段】
【０００７】
上記の目的を達成するため、本発明は、測定部と、測定データ処理部と、測定結果表示部とを備えた肌状態測定装置を用いて、被測定者の肌を測定して評価する方法であって、測定によって得られる肌の評価項目をｎ個（ｎは３以上の整数）設け、各評価項目の基準値を予め上記測定データ処理部に記憶しておき、上記測定結果表示部において、各評価項目の基準値に基づく所定領域を、２つの同心正ｎ角形（大きい方の正ｎ角形をＡ、小さいほうの正ｎ角形をＢとする）に挟まれた領域として表示するとともに、上記同心正ｎ角形Ａ、Ｂの中心点と各頂点を結ぶ直線を各評価項目の評価軸として、被測定者の測定結果を、上記各評価項目の評価軸上に、基準値からの偏りとして位置決めし、位置決めされた各点を互いに線分でつなぐことによりｎ角形として表示するよう設定し、上記同心正ｎ角形Ａ、Ｂと、測定結果を示すｎ角形とを対比することにより、被測定者の肌状態を評価するようにした肌状態評価方法を第１の要旨とする。
【０００８】
また、本発明は、そのなかでも、特に、上記肌状態測定装置が、測定部と、第１の測定データ処理部と、第１の測定結果表示部とを備えた測定装置と、第２の測定データ処理部と、第２の測定結果表示部とを備えた処理装置とを組み合わせたものであり、各評価項目の基準値を、上記第２の測定データ処理部に記憶し、上記同心正ｎ角形Ａ、Ｂと、測定結果を示すｎ角形とを、上記第２の測定結果表示部に表示するようにした肌状態評価方法を第２の要旨とする。
【０００９】
さらに、本発明は、それらのなかでも、特に、上記評価項目が、水分量、透明感、ハリ・弾力の３項目であり、各評価項目の基準値に基づく所定領域を、２つの同心正三角形（大きい方の正三角形をＡ′、小さいほうの正三角形をＢ′とする）に挟まれた領域として表示するとともに、上記同心正三角形Ｂ′の内側に、さらに１つの同心正三角形Ｃを表示し、上記同心正三角形Ｂ′とＣに挟まれた領域を、基準値から外れた第１の領域とし、上記同心正三角形Ｃの内側領域を、基準値からさらに外れた第２の領域として、３段階で評価するようにした肌状態評価方法を第３の要旨とし、上記基準値が、年代別モニター群の肌状態をそれぞれ測定して得られた年代別基準値として年代ごとに記憶され、被測定者の年代を入力することにより、その年代に対応した基準値を基準とした同心正ｎ角形Ａ、Ｂと、測定結果を示すｎ角形とが表示されるようになっている肌状態評価方法を第４の要旨とする。
【００１０】
また、本発明は、肌状態を評価するのに用いられる装置であって、測定部と、測定データ処理部と、測定結果表示部とを備え、測定によって得られる肌の評価項目がｎ個（ｎは３以上の整数）に設定され、各評価項目の基準値が予め上記測定データ処理部に記憶されており、上記測定結果表示部において、各評価項目の基準値に基づく所定領域を、２つの同心正ｎ角形（大きい方の正ｎ角形をＡ、小さいほうの正ｎ角形をＢとする）に挟まれた領域として表示されるとともに、上記同心正ｎ角形Ａ、Ｂの中心点と各頂点を結ぶ直線を各評価項目の評価軸として、被測定者の測定結果が、上記各評価項目の評価軸上に、基準値からの偏りとして位置決めされ、位置決めされた各点を互いに線分でつなぐことによりｎ角形として表示されるようになっている肌状態測定装置を第５の要旨とする。
【００１１】
さらに、本発明は、そのなかでも、特に、上記肌状態測定装置が、測定部と、第１の測定データ処理部と、第１の測定結果表示部とを備えた測定装置と、第２の測定データ処理部と、第２の測定結果表示部とを備えた処理装置とを組み合わせたものであり、各評価項目の基準値が、上記第２の測定データ処理部に記憶され、上記同心正ｎ角形Ａ、Ｂと、測定結果を示すｎ角形とが、上記第２の測定結果表示部に表示されるようになっている肌状態測定装置を第６の要旨とする。
【００１２】
そして、本発明は、それらのなかでも、特に、上記評価項目が、水分量、透明感、ハリ・弾力の３項目であり、各評価項目の基準値に基づく所定領域が、２つの同心正三角形（大きい方の正三角形をＡ′、小さいほうの正三角形をＢ′とする）に挟まれた領域として表示されるとともに、上記同心正三角形Ｂ′の内側に、さらに１つの同心正三角形Ｃが表示され、上記同心正三角形Ｂ′とＣに挟まれた領域を、基準値から外れた第１の領域とし、上記同心正三角形Ｃの内側領域を、基準値からさらに外れた第２の領域として、３段階で評価できるようになっている肌状態評価装置を第７の要旨とし、上記基準値が、年代別モニター群の肌状態をそれぞれ測定して得られた年代別基準値として年代ごとに記憶され、被測定者の年代を入力することにより、その年代に対応した基準値を基準とした同心正ｎ角形Ａ、Ｂと、測定結果を示すｎ角形とが表示されるようになっている肌状態測定装置を第８の要旨とする。
【００１３】
また、本発明は、前記第１〜第４のいずれかの要旨である肌状態評価方法に用いられるカウンセリングツールであって、肌状態測定装置の測定結果表示部に表示される、測定結果を示すｎ角形のパターンが、複数種類例示されており、各例ごとに、その例における肌の状態の説明表示部と、その肌の状態に必要なスキンケア方法の説明表示部とが、設けられているカウンセリングツールを第９の要旨とする。
【発明の効果】
【００１４】
本発明の肌状態評価方法によれば、肌に関するｎ個の評価項目の評価結果が、用いる肌状態評価装置の画面上で、ｎ角形として表示されるとともに、評価項目の全てが基準値を含む好適範囲となる領域が、２つの同心正ｎ角形に挟まれた領域として表示されるため、両者を対比することにより、肌状態を悪くしている項目の偏りが一目でわかるようになっている。したがって、美容部員等は、簡単な操作で、顧客の肌の状態をわかりやすく提示することができ、効率がよい。そして、顧客にとっても、自分の肌の問題点を、一目で納得することができ、その問題点に関するカウンセリングを重点的に受けることができるという利点を有する。
【００１５】
また、上記肌状態評価方法において、上記基準値の記憶と処理、および評価結果の表示を、測定装置とは別の処理装置で行うようにしたものは、既設の測定装置を特に改造する必要がなく、別の処理装置に新たな処理機能を組み込むだけでよいため、装置を手軽に用意することができる。
【００１６】
そして、特に、水分量、透明感、ハリ・弾力の３項目について評価するものであって、装置の画面上で、同心正三角形と、測定結果を示す三角形との対比として、３項目の評価を３段階で提示するようにしたものは、肌の根本的な問題を、最小限の項目で、的確に評価することができるため、簡単な操作で、高品質のカウンセリングを行うことができる。
【００１７】
さらに、上記肌状態評価方法において、装置に、年代別基準値を記憶させておき、顧客の年代に応じた年代別基準値を基準として評価を行うようにしたものは、より実際に即した、きめの細かいカウンセリングを行うことができる。
【００１８】
そして、本発明の肌状態測定装置によれば、複数の評価項目を測定して得られる総合評価を、肌の最適な状態を示す同心正ｎ角形と、測定結果を示すｎ角形との対比として、画面上に表示するようになっているため、これを一目みれば、肌のバランスがどのように偏っているかを即座に把握することができる。
【００１９】
さらに、本発明のカウンセリングツールによれば、上記肌状態測定装置で表示される測定結果のパターン別に、そのパターンに応じたスキンケア方法の説明表示部が設けられているため、顧客に最適なスキンケア方法を、即座に提示してカウンセリングを行うことができる。
【発明を実施するための最良の形態】
【００２０】
つぎに、本発明を実施するための最良の形態について説明する。
【００２１】
図１は、本発明の一実施の形態に用いる肌状態測定装置の一例を示している。この装置は、特開２００２−３５５２２３号公報の第２実施例として記載された装置と基本的には同一の構成を示すもので、１０インチの液晶カラーモニター４と、本体部５からなり、上記本体部５には、肌状態を測定する素肌センサ１と、皮脂量を測定するオイリーチェッカー２と、皮膚表面撮像用の拡大カメラ３とが、着脱自在に係合保持されるようになっている。なお、６は、素肌センサ１を係合するための凹部、５０は拡大カメラ３を係合するための凹部である。また、１３０は、モニター画面４ａの操作をワンタッチで行うことのできる操作パネル、１４５は本体部５の電源スイッチ、１４６はＡＣアダプターのコネクタである。
【００２２】
そして、上記素肌センサ１には、肌状態を客観的に測定するための、皮膚温度センサと水分量センサと皮膚弾力性センサが設けられており、上記本体部５には、拡大カメラ３で撮像される画像情報を処理するとともに、素肌センサ１，オイリーチェッカー２から入力される測定情報を処理するための測定データ処理部が設けられている。
【００２３】
また、この装置では、拡大カメラ３を用いて  皮膚表面の拡大画像を得る以外に、皮膚表面から採取した角質を観察して、表皮の活性度（この例では「表皮の力」という）を評価することができるようになっている。すなわち、拡大カメラ３を係合保持する凹部５０には、角質層採取シート６０を斜めに保持するシート保持部６１が形成されており、この部分に、被測定者の皮膚表面から角質を採取した角質層採取シート６０を保持させることにより、その採取部を、上記凹部５０に係合させた姿勢の拡大カメラ３で、撮像できるようになっている。
【００２４】
上記各測定手段によって得られる測定値をもとに、肌の状態を判断する項目としては、「肌コンディション  皮脂量・水分量・皮膚温」、「肌拡大  表面・内部」、「キメ」、「肌の色」、「透明感」、「表皮の力」、「真皮の力」の７項目が設定されている。そして、上記モニター画面４ａには、まず、図２に示すようなメニュー画面が表示されるようになっており、本体部５の操作パネル１３０（図１参照）を操作して、測定すべき項目を選択することができるようになっている。なお、項目選択のカーソル１４２は、項目ボタンの外周を囲う赤枠として表示されるようになっている。また、すでに測定済の項目は、その項目ボタンの外周に青枠１４３が表示されるようになっている。そして、項目が選択されると、その項目において用いる測定具とその測定方法の指示が、画面もしくは音声で与えられ、これにしたがって測定を行うことにより、測定結果が、上記本体部５のデータ処理部で自動的に行われ、モニター画面４ａに、グラフ図等の結果が表示されるようになっている。
【００２５】
なお、上記皮脂量や水分量等、各測定値の「基準値」は、年代によって変化する。そこで、この装置では、被測定者の年代を、「〜１９歳」、「２０〜２４歳」、「２５〜２９歳」、「３０〜３４歳」、「３５〜３９歳」、「４０〜４４歳」、「４５〜４９歳」、「５０〜５４歳」、「５５〜５９歳」、「６０〜６４歳」、「６５〜６９歳」、「７０〜７４歳」、「７５〜７９歳」、「８０歳〜」の１４の年代に分けて、測定データを処理する際に基準として用いる「基準値」を、年代ごとに変更するようになっている。
【００２６】
そこで、被測定者は、図２に示すメニュー画面において、右上の「Ａｇｅ」の項目１４７を選択して、図３の画面を開き、操作パネル１３０（図１参照）の所定のボタンを操作して、カーソル１４２′を移動させることにより、該当する年代の項目を選択する。これにより、自分の年代に応じた測定結果の評価を受けることができるようになっている。
【００２７】
さらに、このようにして入力された被測定者の年代に基づいて求められる年代別基準値は、絶対的なものではなく、その測定時期の環境温度によっても左右される。そこで、この装置には、この装置が設置された場所の環境温度を常時計測する温度センサが内蔵されており、被測定者が皮膚状態を測定する際の環境温度が、本体部５内のデータ処理部に自動的に入力され、基準値として用いられる年代別基準値が、環境温度の影響を考慮した値に修正されるようになっている。
【００２８】
上記年代入力を終えた被測定者が、例えば「肌コンディション」の項目（図２に戻る）を選択すると、モニター画面４ａにおいて、素肌センサ１を頬に当てて皮膚温度と水分量を測定し、オイリーチェッカー２を額中央に当てて皮脂量を測定するよう指示が与えられるようになっている。そして、皮膚温度、水分量、皮脂量の測定結果から、図４に示すように、被測定者の肌コンディションが一目でわかるようなグラフ図６９が、モニター画面４ａ（図１参照）に表示されるようになっている。
【００２９】
このグラフ図６９は、皮脂量を縦軸にとり、水分量を横軸にとって、予め収集したデータに基づき、皮脂量の基準値を適正範囲の最大値とし、水分量の基準値を適正範囲の最小値として、皮膚状態を４つの典型例に区分して示したものがベースとなっており、皮脂量も水分量も基準値より少ない領域が乾燥肌（象徴記号「Ｄ」）、皮脂量も水分量も基準値より多い領域が脂性肌（象徴記号「Ｏ」）、皮脂量が多く水分量が少ない領域が脂性乾燥肌（象徴記号「ＯＤ」）、水分量が多い領域が普通肌（象徴記号「Ｎ」）として示されている。７０，７１は各基準値を示すラインである。そして、被測定者の測定結果から両者の交点に所定のマーク７２が付されており、被測定者の肌タイプが一目でわかるようになっている。
【００３０】
そして、上記グラフ図６９の下には、皮膚温度についての棒グラフ７３が表示されており、この棒グラフ７３にも、基準値７４と、測定値７５が表示されている。また、グラフ図６９の右上には、入力された被測定者の年代を示す年代記号（ハートの個数１つ：１０代前半、１つ半：１０代後半、２つ：２０代前半……という記号であり、この図では、被測定者が４０代前半であることを示している）７６と、環境温度を示す枠７７が設けられている。また、その下には、皮脂量と水分量と皮膚温度を示す枠７８〜８０がそれぞれ設けられており、実際の測定値から換算された指数が数値で示されるようになっている。
【００３１】
また、メニュー画面（図２参照）の「透明感」を選択すると、拡大カメラ３を頬に当てて無反射画像で皮膚表面を見るよう指示が与えられるようになっている。そして、得られる画像情報から、肌の透明感の指標となるメラニンと血色に関する情報が数値的に処理され、図５に示すように、被測定者の肌の透明感が一目でわかるようなグラフ図９６が、モニター画面４ａ（図１参照）に表示されるようになっている。
【００３２】
このグラフ図９６は、メラニンに基づく指数を縦軸にとり、血色に基づく指数を横軸にとって、予め収集したデータに基づいて肌の透明感を４つの典型例に区分して示したものがベースとなっており、グラフ面が、これらの基準値を示すライン９７，９８によって、ａ〜ｄの４つの領域に区分されるようになっている。そして、被測定者の測定結果から両者の交点に所定のマーク９９が付されており、被測定者の肌の透明感が一目でわかるようになっている。なお、このグラフ図９６における基準値も、環境温度によって修正された年代別基準値が用いられている。
【００３３】
そして、上記グラフ図９６の右上に、被測定者の年代を示す年代記号７６と、環境温度を示す枠７７が設けられている。また、その下には、メラニンの指数と血色の指数を示す枠１００，１０１がそれぞれ設けられており、各指数が数値で示されるようになっている。
【００３４】
同様にして、メニュー画面（図２参照）に表示された各項目の測定を終了した時点で、総合結果２００のボタンを選択すると、モニター画面４ａに、図６に示すように、全測定結果が一目でわかるようにまとめられた画面が表示されるようになっている。すなわち、この画面の上部中程に、一連の測定に先立って入力した被測定者の氏名２０２が（会員である場合にはその会員番号とともに）表示されている。記号２０３は、すでに述べたように、被測定者の年代を示す年代記号である。
【００３５】
そして、その下には、「三項目三角形」と呼称される、大、中、小の３つの同心正三角形２０５ａ、２０５ｂ、２０５ｃが表示されている。この同心正三角形２０５ａ等の中心点Ｏと各頂点を結ぶ放射状の３本の直線は、それぞれ、「水分量」、「透明感」、「ハリ・弾力」の３項目の評価軸となっており、同心正三角形２０５ａと同心正三角形２０５ｂに挟まれた領域Ｐが、上記各評価軸上での、各項目の「基準値」を含む、最適領域として示されている。肌の状態としては「よい状態」を示している。
【００３６】
そして、「水分量」を示す軸は、「５４」と「３３」の目盛りのところで区分され、「透明感」を示す軸は、「ａ」と「ｂｄ」と「c 」の３つの線分に区分され、「ハリ・弾力」を示す軸は、「３９」と「２９」の目盛りのところで区分され、各目盛りをつなぐことにより、内側の同心正三角形２０５ｂと、同心正三角形２０５ｃが形成されている。上記同心正三角形２０５ｂと、同心正三角形２０５ｃとで挟まれた領域Ｑが、上記領域Ｐに比べて、「やや不足気味」の肌の状態を示す領域である。また、上記同心正三角形２０５ｃの内側の領域Ｒが、上記領域Ｑよりも、さらに「不足気味」の肌の状態を示している。
【００３７】
なお、これらの設定は、予め記憶された「基準値」を基準に設定されるもので、年代ごとに、その値が調整されるようになっている。例えば、「ハリ・弾力」を示す目盛りが、この例では、「３９」、「２９」になっているが、年代が変わると、この目盛りの数字が変化する。
【００３８】
したがって、上記「三項目三角形」では、各評価軸上で、被測定者の測定結果が「基準値」よりも低くなると、その分だけ、中心点Ｏに近づき、各頂点を結んで得られる三角形の形状が、変形するようになっている。この例では、被測定者の測定結果を太線Ｘで示している。
【００３９】
一方、この画面の右側には、「肌体力カルテ」という見出し２０６が表示されており、その下の、点線Ｙで囲われた領域内に、一連の測定項目２０７と、その測定結果を表示する枠２０８、２０９が設けられている。枠２０８には、前回の測定結果が、参考として表示されるようになっている（この例では空欄）。枠２０９には、今回の測定結果が表示されている。また、その右側の枠２１０内には、測定結果に対し、所定の評価基準にもとづいて与えられる評価記号２１１が記入されている。そして、それらの右側には、それぞれ簡単なコメント２１２が付記されている。例えば、「肌タイプ」の評価が「Ｄ」である場合のコメント２１２は、「水分、脂分ともに不足気味です。」となっている。
【００４０】
そして、その下には、「あなたの肌体力は★★★★★☆☆☆☆☆」という評価２１３が示されている。これは、前記測定項目２０７のうち、肌を評価するのに重要な１０項目を抽出し、その１０項目のうち、前記「三項目三角形」の領域Ｐで示される「よい状態」に属する測定値であったものの数を、★の数で示したものである。上記１０項目とは、前記測定項目２０７のうち、「水分量」、「皮脂量」、「キメ状態」、「キメ大きさ」、「角質分布量」、「角質剥離量」、「メラニン量」、「血色」、「弾力」、「血行」の１０項目である。そして、該当する各項目の左側に、測定値が「よい状態」のものには★印が付され、測定値が「よい状態」でないものには☆印が付されている。したがって、「肌体力」の評価は、上記★の数に応じて、１０段階で評価されることがわかる。なお、この評価２１３の右側には、「皮フ温」２１４の見出しがあり、皮膚温度が示されている。
【００４１】
さらに、この画面の下には、四角枠２１５が設けられており、その内側の左上には、「肌レッスン」の見出し２１６が表示されている。この四角枠２１５内には、この画面をプリントアウトした後に、美容部員等が、被測定者の肌の状態に適したスキンケアのアドバイスを記入することができるようになっている。アドバイスを記入した用紙は、被測定者に、「肌体力カルテ」として手渡すことができる。また、化粧品販売店等において、上記内容をカウンセリングデータとして保存しておき、顧客管理に役立てることができる。
【００４２】
なお、この画面をプリントアウトする場合は、本体部５に接続されたプリンタ（図示せず）を用いる。
【００４３】
したがって、この肌状態測定装置を用いた肌状態評価方法によれば、肌に関する３個の評価項目の評価結果が、モニター画面４ａ上で、三角形として表示されるとともに、全ての項目が基準値を含む好適範囲内にある理想的な状態が、同心正三角形２０５ａ、２０５ｂに挟まれた領域Ｐとして表示されるため、両者を対比することにより、肌状態を悪くしている項目の偏りが一目でわかるようになっている。したがって、美容部員等は、簡単な操作で、顧客の肌の状態をわかりやすく提示することができ、効率がよい。そして、顧客にとっても、自分の肌の問題点を、一目で納得することができ、その問題点に関するカウンセリングを重点的に受けることができるという利点を有する。
【００４４】
なお、上記肌状態評価方法の実施に際しては、例えば、上記肌状態測定装置に表示される測定結果である三角形のパターンのうち、典型的なものを例示し、例示された各パターンごとに、その肌の状態を説明す説明表示部と、その肌の状態に必要なスキンケア方法の説明表示部を設けたカウンセリングツールを用いることが好適である。そのようなカウンセリングツールの一例として、例えば、上記の内容を、一冊の冊子にまとめたものをあげることができる。
【００４５】
このものは、冊子の特定の見開きページが、図７（左側の頁）、図８（右側の頁）に示すように構成されている。この見開きページの上部には、左右に延びる帯状枠２２０が設けられており、その内側に、「アドバイスポイント」という見出し２２１と、「三項目三角形における、肌状態のご説明から肌レッスンへスムーズにつなげましょう。」というアドバイスのポイントを示す文２２２が表示されている。
【００４６】
そして、その下のスペースには、上下３段の帯状枠２２３、２２４、２２５が設けられており、各段の左側に、前記肌状態測定装置の総合評価画面に表示された三項目三角形の同心正三角形２０５（ａ，ｂ，ｃの区別は省略）と、測定結果として得られる典型的な、３種類の変形パターンの三角形が、それぞれ表示されている。
【００４７】
また、各段は、左右方向に、３つの部分に区分されており、左側の部分の上部には、「肌状態のご説明」という見出し２２６が表示されている。また、中央の部分（図８参照）の上部には、「肌レッスンメニュウのご提案」という見出し２２７が表示されており、右側の部分の上部には、「ハンドアクション」の見出し２２８が表示されている。
【００４８】
ちなみに、最上段の帯状枠２２３内の最も左側（図７に戻る）には、丸枠２２７で囲われた「水分量」という見出し２２８が表示されている。そして、その右側に、すでに述べたように、同心正三角形２０５と、水分量が不足した測定結果を示す三角形のパターンＸ１とが表示されている。そして、その右側には、「水分が不足しがちな状態」という小見出し２２９が表示されており、その下に、「お肌を外的刺激から守るバリア機能も低下しやすく、………考えられます。」という説明文２３０が表示されている。
【００４９】
そして、その右側（図８参照）には、「やや不足している方  Ｗ保湿」という見出し２３１と、「不足している方  Ｗ保湿＋ローションマスク・クリーム」という見出し２３２とが表示されている。そして、見出し２３１、２３２の下には、アドバイスのポイントを述べる説明文２３３、２３４がそれぞれ表示されている。
【００５０】
また、その右側には、「化粧水…Ｐ４３〜４４」、「ローションマスク…Ｐ４４」、「乳液…Ｐ４５〜４６」、「クリーム…Ｐ４９〜５０」というページ表示２３５がなされている。ここに列挙された化粧水等の商品は、水分量が不足しがちな人が使用するのに適した商品である。そして、その右側に示されたページは、この冊子の別の部分に表示されている、その商品を用いたスキンケア方法を説明したページを示している。
【００５１】
その下の帯状枠２２４内には、上記と同様の構成で、「透明感」が不足した測定結果を示す三角形のパターンＸ２と、それに対するアドバイス等が表示されている。
【００５２】
その下の帯状枠２２５内には、上記と同様の構成で、「ハリ・弾力」が不足した測定結果を示す三角形のパターンＸ３と、それに対するアドバイス等が表示されている。
【００５３】
したがって、上記カウンセリングツールによれば、被測定者の測定結果として表示された三角形のパターンに応じたアドバイスを、即座に提示することができ、効率よくカウンセリングを進めることができる。
【００５４】
なお、上記カウンセリングツールは、冊子である必要はなく、複数枚のシートを組み合わせたものであってもよいし、カード式になったものであってもよい。また、印刷物によらず、上記の内容を、上記肌状態測定装置のモニター画面４ａに表示させるようにしたものであっても差し支えない。
【００５５】
一方、本発明に用いられる肌状態測定装置は、上記の例に限らず、測定部と、測定データ処理部と、測定結果表示部とを備えたものであれば、特に限定するものではないが、測定結果表示部において、３以上の複数の評価項目について、全てが基準値を含む好適範囲となる領域を、２つの同心正ｎ角形に挟まれた領域Ｐとして表示し、測定結果を、基準値からの偏りとして、変形したｎ角形として表示するよう設定されたものでなければならない。
【００５６】
ただし、上記の例のように、既存の肌状態測定装置に、新たな改良を施すことが手間となる場合は、既存の肌状態測定装置で得られた測定値を、別のパーソナルコンピュータ等の情報処理装置において処理し、その装置に内蔵されているか接続されている画像表示手段において、本発明の特徴である評価結果の表示を行うようにしても差し支えない。その場合は、上記情報処理装置および画像表示手段が、本発明の肌状態測定装置の測定データ処理部と、測定結果表示部として機能している。例えば、化粧品販売店等において、顧客管理や商品管理を目的として設置されている情報処理装置を、肌状態測定装置と組み合わせて用いることができる。
【００５７】
そして、本発明において、測定すべき３以上の評価項目は、上記の例に限らず、肌の状態を特定するのに必要な項目であれば、特に限定するものではない。ただし、上記の例のように、水分量、透明感、ハリ・弾力の３項目について評価することが、肌の根本的な問題を抽出するには最適であり、最小限の項目で、的確な評価を得ることができ、好適である。
【００５８】
また、上記の例では、年代別および環境温度別に基準値を調整するようにしているが、これらの調整も、行う方がきめ細かいカウンセリングにつながり好適であるが、実際には、必ずしも必要ではない。
【図面の簡単な説明】
【００５９】
【図１】本発明の一実施例を示す外観斜視図である。
【図２】上記実施例のモニター画面の表示例を示す説明図である。
【図３】上記実施例のモニター画面の表示例を示す説明図である。
【図４】上記実施例のモニター画面の表示例を示す説明図である。
【図５】上記実施例のモニター画面の表示例を示す説明図である。
【図６】上記実施例のモニター画面の表示例を示す説明図である。
【図７】上記実施例に用いるカウンセリングツールの部分的な説明図である。
【図８】上記実施例に用いるカウンセリングツールの部分的な説明図である。
【符号の説明】
【００６０】
１  素肌センサ
２  オイリーチェッカー
３  拡大カメラ
４  液晶カラーモニター
５  本体部
【図１】
2005080774.tif 000003
【図２】
2005080774.tif 000004
【図３】
2005080774.tif 000005
【図４】
2005080774.tif 000006
【図５】
2005080774.tif 000007
【図６】
2005080774.tif 000008
【図７】
2005080774.tif 000009
【図８】
2005080774.tif 000010